(57)【要約】【課題】  複数種類のＩＣカードの装着部を有している装着装置において、ＩＣカードの誤装着を防止する。【解決手段】  第１のＩＣカード１００が装着される第１の装着部５と第２のＩＣカード２００が装着される第２の装着部６とが並列して上面側に設けられ、第３のＩＣカード３００が装着される第３の装着部７が底面側に設けられた装置本体４を有し、この装置本体４は、パーソナルコンピュータ等のホスト機器にケーブル１８を介して接続される。第１の装着部５と第２の装着部６には、装着されるＩＣカードの平面形状に近似した膨出部８，９が設けられ、ユーザが触感によって装着部の位置を識別することができるようにしている。【選択図】  図１
2005227895.tif 000002
【特許請求の範囲】
【請求項１】
平面形状の異なる少なくとも２種類のカード型記録媒体が装着されるカード型記録媒体の装着装置であって、
装置本体と、
上記装置本体に設けられた第１の挿脱口と連続した第１のカード型記録媒体が装着される第１の装着部と、
上記装置本体に設けられた第２の挿脱口と連続した第２のカード型記録媒体が装着される第２の装着部と、
上記装置本体に設けられた外部機器に接続されるインタフェースとを備え、
上記装置本体の第１の装着部上には、第１の膨出部が設けられ、上記第２の装着部上には、上記第１の膨出部と大きさの異なる第２の膨出部が設けられていることを特徴とするカード型記録媒体の装着装置。
【請求項２】
上記第１の膨出部は、上記第１のカード型記録媒体の平面形状に近似した形状をなして形成され、上記第２の膨出部は、上記第２のカード型記録媒体の平面形状に近似した形状をなして形成されていることを特徴とする請求項１記載のカード型記録媒体の装着装置。
【請求項３】
上記第１の装着部と上記第２の装着部は、上記装置本体に並列して設けられていることを特徴とする請求項１記載のカード型記録媒体の装着装置。
【請求項４】
上記第１の装着部と上記第２の装着部は、上記装置本体の一方の面側に設けられ、上記装置本体の他方の面側には、更に、第３のカード型記録媒体が装着される第３の装着部が上記装置本体の側面に形成された第３の挿脱口と連続して設けられていることを特徴とする請求項３記載のカード型記録媒体の装着装置。
【請求項５】
上記第１の挿脱口と上記第２の挿脱口は、上記装置本体の同じ高さの一側面に設けられていることを特徴とする請求項１記載のカード型記録媒体の装着装置。
【請求項６】
上記装置本体には、上記第１の挿脱口と上記第２の挿脱口との間に、上記一側面側を開放した切欠部が設けられていることを特徴とする請求項１記載のカード型記録媒体の装着装置。
【請求項７】
上記第３の挿脱口は、上記装置本体の一側面と平行なこの一側面より内側の面に設けられていることを特徴とする請求項４記載のカード型記録媒体の装着装置。
【請求項８】
上記第１の装着部と上記第２の装着部は、上記装置本体に直列に設けられていることを特徴とする請求項１記載のカード型記録媒体の装着装置。
【請求項９】
上記第１の装着部は、上記装置本体の一方の面側に設けられ、上記第２の装着部は、上記装置本体の上記一方の面と対向する他方の面側に設けられている請求項１記載のカード型記録媒体の装着装置。
【発明の詳細な説明】
【技術分野】
【０００１】
本発明は、平面形状の異なる複数のカード型記録媒体が装着されるカード型記録媒体の装着装置に関する。
【背景技術】
【０００２】
ＩＣカード等のカード型記録媒体には、様々な規格に準拠したものがり、それぞれが普及している。様々な規格に準拠したカード型記録媒体は、画像データ、動画データ、楽曲データ、文書データ等様々なデータを記録することができ、その用途は、同じ又は近似しているものの、その外形形状やインタフェースは異なり、共通の装着装置を用いることはできない。このため、ユーザは、所有するカード型記録媒体の種類に対応した装着装置を所持する必要があり、面倒である。
【０００３】
そこで、カード型記録媒体の装着装置には、複数種類のカード型記録媒体の装着部が設けられた装着装置がある。この種の装着装置によれば、ユーザは、一の装着装置を所持するだけで良く、便利である。しかしながら、複数種類のカード型記録媒体の装着部を装着装置に設けたときには、ユーザが規格に不一致の装着部にカード型記録媒体を装着してしまうおそれがある。ユーザが誤装着をした場合には、例えば誤装着したカード型記録媒体が装着部の奥深くまで入り込んでしまい、取り出すことができなくなってしまう。また、故障の原因ともなる。
【０００４】
【特許文献１】特開平１１−１１０８８０号公報
【発明の開示】
【発明が解決しようとする課題】
【０００５】
本発明は、以上のような問題点に鑑みてなされたものであり、その目的は、複数種類のカード型記録媒体の装着部を有しているときに、カード型記録媒体の誤装着を防止することを目的としたカード型記録媒体の装着装置を提供することにある。
【課題を解決するための手段】
【０００６】
本発明に係るカード型記録媒体の装着装置は、平面形状の異なる少なくとも２種類のカード型記録媒体が装着されるカード型記録媒体の装着装置であり、装置本体と、上記装置本体に設けられた第１の挿脱口と連続した第１のカード型記録媒体が装着される第１の装着部と、上記装置本体に設けられた第２の挿脱口と連続した第２のカード型記録媒体が装着される第２の装着部と、上記装置本体に設けられた外部機器に接続されるインタフェースとを備える。上記装置本体の第１の装着部上には、第１の膨出部が設けられ、上記第２の装着部上には、上記第１の膨出部と大きさの異なる第２の膨出部が設けられている。
【発明の効果】
【０００７】
本発明によれば、装置本体の第１の装着部上に、第１の膨出部が設けられ、第２の装着部上に、第１の膨出部と大きさの異なる第２の膨出部が設けられていることから、これら膨出部の形状の相違によって、ユーザは装着部の種類や位置を触感で識別することができ、装着部へのＩＣカードの誤挿入を防止することができる。
【発明を実施するための最良の形態】
【０００８】
以下、本発明を適用したＩＣカードの装着装置について図面を参照して説明する。
【０００９】
図１に示すように、本発明を適用した装着装置１は、３種類のカード型記録媒体であるＩＣカード１００，２００，３００の装着部を有したアダプタ装置である。
【００１０】
ここで、図１を参照して、３種類のＩＣカードについて説明する。第１のＩＣカード１００は、合成樹脂をモールド成型した略矩形をなす略板状のカード本体１０１を備え、このカード本体１０１の内部に、４ＭＢ、１６ＭＢ、３２ＭＢ、６４ＭＢ、１２８ＭＢ、２５６ＭＢ・・・１ＧＢ、２ＧＢ等といった大きな記憶容量を有するフラッシュメモリ等の半導体メモリ素子、この半導体メモリ素子に対しデータの書き込み若しくは半導体メモリ素子に記憶されたデータの読み出しを制御する制御回路部が構成された制御回路素子、著作権保護回路素子等の複数の半導体集積回路素子がプリント配線基板に実装された状態で内蔵されている。
【００１１】
このように複数の半導体素子を内蔵し、更にこれら半導体素子を実装したプリント配線基板を内蔵したカード本体１０１は、使用時に加わる通常の外力等によっては曲がらない程度の機械的強度を有するように形成され、内蔵した半導体メモリ素子等の半導体素子及びこれら半導体素子を実装したプリント配線基板の保護を図るようにしている。具体的に、カード本体１０１は、合成樹脂の成型体により形成されている。
【００１２】
第１のＩＣカード１００を構成するカード本体１０１の一方の短辺側である前面１０１ａ側には、前面１０１ａから底面１０１ｂに亘るように、端子部１０２が形成されている。この端子部１０２には、互いに仕切壁１０２ａに分離された複数の電極１０２ｂが設けられている。カード本体１０１内に設けられたメモリ素子に対するデータの読み出し又は書き込み動作は、端子部１０２に設けられた電極１０２ｂを介して行われる。また、端子部１０２は、仕切壁１０２ａにより係合凹部が区画され、電極１０２ｂは、係合凹部の底面に配設されることで、手指等が直接触れないように保護されている。なお、電極１０２ｂは、係合凹部に区画されて例えば１０本設けられている。
【００１３】
第１のＩＣカード１００は、端子部１０２を構成する電極１０２ｂが１０個設けられている。第１のＩＣカード１００と、この第１のＩＣカード１００が装着される装着装置１やホスト機器との間のデータの授受は、例えばシリアルインタフェースにより、端子部１０２に設けられた電極１０２ｂを介して行われる。具体的に、少なくとも電極１０２ｂは、シリアルプロトコルバスステート信号ＢＳの入力端子、シリアルプロトコルデータ信号ＳＤＩＯの入力端子、シリアルクロックＳＣＬＫの入力端子、電源電圧ＶＣＣ端子として用いられる。勿論、ホスト機器とのデータの授受は、パラレルインタフェースで行うようにしても良い。
【００１４】
カード本体１０１の端子部１０２が形成された前面１０１ａ側の一方のコーナ部には、略円弧状に面取りされた面取り部１０３が設けられている。カード本体１０１の面取り部１０３が形成された側の一方の側面１０１ｃには、カード本体１０１の底面１０１ｂ側を開放した誤挿入防止溝１０４が面取り部１０３に連続して形成されている。この面取り部１０３及び誤挿入防止溝１０４は、第１のＩＣカード１００を装着装置１に装着するとき、装着装置１に対する挿入方向を規制して誤挿入を防止する。
【００１５】
カード本体１０１の一方の側面１０１ｃには、装着装置１に挿入されたとき、装着装置１側に設けた弾性係合片に係合して装着装置１からの脱落を防止する脱落防止用凹部１０５が形成されている。また、カード本体１０１の他方の側面１０１ｄ側の略中央部には、装着装置１やホスト機器の装着部側に設けられた第１のＩＣカード１００を装着部よりイジェクトするためのイジェクト機構が係合される係合凹部１０６が形成されている。係合凹部１０６は、第１のＩＣカード１００の装着装置１やホスト機器への挿入方向と平行な他方の側面１０１ｄから底面１０１ｂに亘る部分を開放して設けられ、正規な状態で第１のＩＣカード１００が装着装置１やホスト機器へ挿脱口に挿入されたときに限って、装着部側のイジェクト機構が係合する。
【００１６】
以上のように構成された第１のＩＣカード１００は、端子部１０２が設けられた前面１０１ａを挿入端として装着装置１やホスト機器の挿脱口に挿入される。
【００１７】
次に、第２のＩＣカード２００について説明すると、第２のＩＣカード２００は、第１のＩＣカード２００の長辺を短くした小型のＩＣカードであり、端子数等は、第１のＩＣカード１００と同じとし、電気的仕様等を略同じにしている。この第２のＩＣカード２００は、合成樹脂をモールド成型した略矩形板状のカード本体２０１を備える。カード本体２０１には、４ＭＢ、１６ＭＢ、３２ＭＢ、６４ＭＢ、１２８ＭＢ、２５６ＭＢ・・・１ＧＢ、２ＧＢ等といった大きな記憶容量を有するフラッシュメモリ等の半導体メモリ素子、この半導体メモリ素子に対しデータの書き込み若しくは半導体メモリ素子に記憶されたデータの読み出しを制御する制御回路部が構成された制御回路素子、著作権保護回路素子等の複数の半導体集積回路素子がプリント配線基板に実装された状態で内蔵されている。
【００１８】
このように複数の半導体素子を内蔵し、更にこれら半導体素子を実装したプリント配線基板を内蔵したカード本体２０１は、使用時に加わる通常の外力等によっては曲がらない程度の機械的強度を有するように形成され、内蔵した半導体メモリ素子等の半導体素子及びこれら半導体素子を実装したプリント配線基板の保護を図るようにしている。具体的に、カード本体２０１は、合成樹脂の成型体により形成されている。
【００１９】
カード本体２０１の一方の短辺側には、装着装置１やホスト機器への挿入端となる前面２０１ａから底面２０１ｂに亘るように、端子部２０２が形成されている。この端子部２０２は、電極２０２ｂの数に対応して仕切壁２０２ａによって区画された複数の係合凹部が設けられている。各係合凹部は、装着装置１やホスト機器の装着部側に設けられた端子群が係合できるようにカード本体２０１の前面２０１ａから底面２０１ｂに亘って開放されている。複数の電極２０２ｂは、各係合凹部の底面にそれぞれ位置して設けられ、仕切壁２０２ａによって互いに分離されている。複数の各電極２０２ｂは、仕切壁２０２ａによって手指の大きさより小さい区画された係合凹部の底面にそれぞれ設けられているので、ＩＣカード１０の取り扱い時に手指や大きな異物等が直接触れることが防止され、汚損や損傷等から確実に保護されている。
【００２０】
第２のＩＣカード２００は、端子部２０２を構成する電極２０２ｂが１０個設けられている。第２のＩＣカード２００と、この第２のＩＣカード２００が装着される装着装置１やホスト機器との間のデータの授受は、シリアルインタフェースにより、端子部２０２に設けられた電極２０２ｂを介して行われる。具体的に、少なくとも電極２０２ｂは、シリアルプロトコルバスステート信号ＢＳの入力端子、シリアルプロトコルデータ信号ＳＤＩＯの入力端子、シリアルクロックＳＣＬＫの入力端子、電源電圧ＶＣＣ端子として用いられる。勿論、ホスト機器とのデータの授受は、パラレルインタフェースで行うようにしても良い。
【００２１】
カード本体２０１の端子部２０２が形成された前面２０１ａ側の一方のコーナ部には、ユーザが装着装置１やホスト機器への挿入方向を容易に判別することができるようにするため面取り部２０３が設けられている。カード本体２０１の面取り部２０３が形成された側の底面２０１ｂには、前面２０１ａ及び面取り部２０３が設けられた側の側面２０１ｄ側を開放し、カード本体２０１の底面２０１ｂより１段低く形成された誤挿入防止溝２０４が設けられている。この誤挿入防止溝２０４には、面取り部２０３が設けられた側の側面１１ｃと連続し、頂部が底面２０１ｂと略同じ高さの突部２０４ａが設けられている。突部２０４ａは、誤挿入防止溝２０４に設けられることによって、その内側に装着装置１やホスト機器への挿脱口への誤挿入防止用凹部２０４ｂを構成する。誤挿入防止用凹部２０４ｂには、第２のＩＣカード２００が正規な状態で装着装置１やホスト機器の挿脱口に挿入されたとき、装着装置１やホスト機器の装着部に設けられた誤挿入防止突起が係合し、第２のＩＣカード２００の装着を許可する。この誤挿入防止用凹部２０４ｂは、第１のＩＣカード１００の誤挿入防止溝１０４と異なる部分であり、この形状の相違により、第２のＩＣカード２００の第１のＩＣカード１００への装着部への誤挿入を防止する。
【００２２】
カード本体２０１の面取り部２０３が形成された側の底面２０１ｂには、誤挿入防止溝２０４の近傍に、第２のＩＣカード２００が装着装置１やホスト機器１やホスト機器の装着部に装着されるとき、第２のＩＣカード２００の装着部からの脱落を防止するための脱落防止用凹部２０５が設けられている。脱落防止用凹部２０５は、第２のＩＣカード２００の装着装置１やホスト機器への挿入方向と平行な一方の側面２０１ｃ及び底面２０１ｂを開放して設けられ、正規な状態で第２のＩＣカード２００が装着装置１やホスト機器へ挿脱口に挿入されたときに限って、装着装置１やホスト機器の装着部側の脱落防止片が係合する。
【００２３】
カード本体２０１の面取り部２０３が形成された側の底面２０１ｂには、カード本体２０１の前面２０１ａ側に、装着装置１やホスト機器の装着部側に設けられた第２のＩＣカード２００を装着部よりイジェクトするためのイジェクト機構が係合される係合凹部２０６が設けられている。係合凹部２０６は、第２のＩＣカード２００の装着装置１やホスト機器への挿入方向と平行な他方の側面２０１ｄから底面２０１ｂに亘る部分を開放して設けられ、正規な状態で第２のＩＣカード２００が装着装置１やホスト機器へ挿脱口に挿入されたときに限って、装着部側のイジェクト機構が係合する。
【００２４】
以上のように構成された第２のＩＣカード２００は、端子部２０２が設けられた前面２０１ａを挿入端として装着装置１やホスト機器の挿脱口に挿入される。
【００２５】
次に、第３のＩＣカード３００について説明すると、この第３のＩＣカード３００は、上述の第１及び第２のＩＣカード１００，２００と異なる電気的及び物理的仕様のＩＣカードであり、全体が略矩形に形成されている。この第３のＩＣカード３００は、一方の長辺を挿入端として、この長辺を構成する前面３００ａに、複数の端子部３００ｂが設けられている。また、第３のＩＣカード３００は、挿入方向と平行な両側面に、挿入ガイド溝３０１が形成されている。この第３のＩＣカード３００は、第１及び第２のＩＣカード１００，２００が装着装置１やホスト機器への挿入端に、挿入方向の識別のため面取り部１０３，２０３等が設けられているのに対して、装着装置１やホスト機器への挿入端を識別等を行うための面取り部等は設けられていない。以上のように構成された第３のＩＣカード３００は、端子部３００ｂが設けられた前面３００ａを挿入端として装着装置１やホスト機器の挿脱口に挿入される。
【００２６】
すなわち、第２のＩＣカード２００は、電気的仕様を略共通としながらも第１のＩＣカード１００の長辺を短くし平面形状を異にしている。また、第３のＩＣカード３００も第１及び第２のＩＣカード１００，２００と長辺及び短辺の寸法を異にしている。本発明を適用した装着装置１には、このように平面形状を異にする３種類のＩＣカード１００，２００，３００がそれぞれの装着部に装着される。
【００２７】
以上のような第１乃至第３のＩＣカード１００，２００，３００が装着される装着装置１は、図１乃至図６に示すように、上ケース２と下ケース３とを突き合わせて結合した装置本体４を有する。この装置本体４内には、上面２ａ側に、第１のＩＣカード１００と第２の第１の装着部５と第２のＩＣカード２００の第２の装着部６とが並列して設けられ、底面３ｂ側に、第３のＩＣカード３００の第３の装着部７が設けられている。装置本体４内には、制御回路等の電気回路が組み込まれたプリント配線基板が内蔵されていると共に、このプリント配線基板に実装されたこれら第１乃至第３の装着部５，６，７のそれぞれには、対応したＩＣカード１００，２００，３００に対応したコネクタが内蔵されている。この他、第１乃至第３の装着部５，６，７には、装着されるＩＣカードに対応してイジェクト機構、脱落防止機構、誤挿入防止機構等が設けられている。第１乃至第３の装着部５，６，７のコネクタには、第１乃至第３のＩＣカード１００，２００，３００の端子部１０２，２０２，３００ｂが電気的に接続される。また、上ケース２と下ケース３とは、合成樹脂を射出成形してなるものであり、特に、上ケース２は、内蔵されるプリント配線基板に実装されたＬＥＤ（Light Emitting Diode）等の識別灯の光を透光するため光透過性の合成樹脂材料で形成されている。
【００２８】
第１乃至第３の装着部５，６，７は、それぞれ対応した第１乃至第３のＩＣカード１００，２００，３００のほぼ全体を収納保持できる大きさに形成されている。そして、上ケース２には、第１の装着部５上に、第１の装着部５に装着される第１のＩＣカード１００の平面形状に近似した第１の膨出部８が形成され、第２の装着部６上に、第２の装着部６に装着される第２のＩＣカード２００の平面形状に近似した第２の膨出部９が形成されている。第１の膨出部８と第２の膨出部９は、それぞれに対応する第１及び第２のＩＣカード２００の平面形状に対応して形成されていることで、その形状も異なり、従って、ユーザは、目視するまでもなく、触感で第１の装着部５と第２の装着部６の位置を識別することができる。
【００２９】
なお、第１及び第２の膨出部８，９の形状はこれに限定されるものではない。例えば、第１のＩＣカード１００は、第２のＩＣカード２００より大きい。そこで、第１及び第２の膨出部８，９を第１及び第２のＩＣカード１００，２００の平面形状に対応して形成するのではなく、第１のＩＣカード１００が装着される第１の装着部５に形成された第１の膨出部８を、第２のＩＣカード２００が装着される第２の装着部６に形成された第２の膨出部９より大きく形成するようにしても良い。
【００３０】
上ケース２の前面２ｂには、第１の装着部５に連続した第１のＩＣカード１００の挿脱が行われる第１の挿脱口１１が設けられると共に、第２の装着部６に連続した第２のＩＣカード２００の挿脱が行われる第２の挿脱口１２が設けられている。第１の挿脱口１１の上下には、第１の装着部５に装着された第１のＩＣカード１００を引き抜く際の摘み領域を外部に臨ませるための第１の切欠部１３が設けられ、第２の挿脱口１２の上下には、第２の装着部６に装着された第２のＩＣカード２００を引き抜く際の摘み領域を外部に臨ませるための第２の切欠部１４が設けられている。第１の装着部５と第２の装着部６とは、離間して設けられており、第１の挿脱口１１と第２の挿脱口１２との間には、厚さ方向に貫通し前面側を開口した第３の切欠部１５が設けられている。第１の挿脱口１１と第２の挿脱口１２とは、第３の切欠部１５を介して同じ高さの前面２ｂに形成されている。第３の切欠部１５は、第１の挿脱口１１と第２の挿脱口１２とを分離し、それぞれの挿脱口を識別しやすくすると共に、後述のように、第３の装着部７に装着された第３のＩＣカード３００を引き抜く際の背面側の摘み領域を外部に臨ませる。
【００３１】
なお、第１の膨出部８には、装着される第１のＩＣカード１００の種類を表示する第１の表示部８ａが設けられ、第２の膨出部９には、装着される第２のＩＣカード２００の種類を表示する第２の表示部９ａが設けられ、第１の膨出部８と第２の膨出部９との間には、第３の装着部７に装着される第３のＩＣカード３００の種類を表示する第３の表示部７ａが設けられている。第１の表示部８ａと第２の表示部９ａとは、装置本体４の長辺に平行で例えば短辺の中程の仮想直線Ｌ１上に設けられ、第３の表示部７ａは、仮想直線Ｌ１より前面側に設けられている。
【００３２】
また、第１の膨出部８と第２の膨出部９との間には、仮想直線Ｌ１上に、第１乃至第３の装着部５，６，７に装着された第１乃至第３のＩＣカード１００，２００，３００へのアクセス中に点灯する第１乃至第３のアクセス識別部１０ａ，１０ｂ，１０ｃが設けられている。第１の装着部５側の第１のアクセス識別部１０ａは、第１の装着部５に装着された第１のＩＣカード１００にアクセスしているとき点灯し、第２の装着部６側の第２のアクセス識別部１０ｂは、第２の装着部６に装着された第２のＩＣカード２００にアクセスしているとき点灯し、中央の第３のアクセス識別部１０ｃは、第３の装着部７に装着された第３のＩＣカード３００にアクセスしているとき点灯する。この第３のアクセス識別部１０ｃは、装置本体４の短辺に平行で長辺の中程の仮想直線Ｌ２上に、第３の表示部７ａと同じく設けられている。
【００３３】
なお、第１乃至第３のアクセス識別部１０ａ，１０ｂ，１０ｃは、装置本体４内に内蔵されたプリント配線基板に実装されたＬＥＤが発光することで、光透過性の上ケース２を介してユーザから点灯したように見えるようにして、装置本体４の表面の凹凸を少なくし、手触りを良している。
【００３４】
第１乃至第３の表示部８ａ，９ａ、７ａは、第１乃至第３の装着部５，６，７の並び順に設けることで、目視によっても第１乃至第３の装着部５，６，７の位置を特定することができる。また、第１乃至第３のアクセス識別部１０ａ，１０ｂ，１０ｃも、第１乃至第３の装着部５，６，７の並び順に設けられることで、目視によってホスト機器がアクセス中の第１乃至第３の装着部５，６，７に装着された第１乃至第３のＩＣカード１００，２００，３００を特定することができる。
【００３５】
更に、第１及び第２の表示部８ａ，９ａ並びに第１乃至第３のアクセス識別部１０ａ，１０ｂ，１０ｃは、仮想直線Ｌ１上に設けられることで、見栄えを良し、更に、第３のアクセス識別部１０ｃと第３の表示部７ａは、仮想直線Ｌ２上に設けられることで見栄えを良くしている。
【００３６】
以上のような上ケース２に組み合わされる下ケース３は、前面３ａが上ケース２の前面２ｂより内側に略平行に位置するように設けられており、この前面３ａの略中央部には、第３のＩＣカード３００が装着される第３の装着部７に連続した第３の挿脱口１６が設けられている。この第３の挿脱口１６は、第３の切欠部１５の底部と同じ位置に設けられている。また、下ケース３の第３の挿脱口１６は、第３の切欠部１５と対向する位置に、第３の切欠部１５と同じ深さで第３の切欠部１５より幅の広い第４の切欠部１７が設けられている。第３の挿脱口１６の上下に設けられた第３及び第４の切欠部１５，１７は、第３の装着部７に装着された第３のＩＣカード３００を引き抜く際の摘み領域を外部に臨ませる。なお、下ケース３の底面３ｂには、第３の装着部７に対応したした位置に、膨出部は設けられておらず、装置本体４の底面を平坦にし机等に置いたときの安定性を良くしている。第３の装着部７に膨出部を設けないのは、第３の装着部７は装置本体４の上面２ａ側に設けられた第１及び第２の装着部５，６とは異なる底面３ｂ側に設けられており、膨出部を設けるまでもなく十分に第３の装着部７の位置を識別することができるからである。
【００３７】
下ケース３の背面３ｃ側には、コンピュータと接続するケーブル１８のプラグ１８ａが接続されるジャック１９が設けられている。この装着装置１では、ホスト機器からのコマンドに基づいてホスト機器から送信されたデータが第１乃至第３の装着部５，６，７に装着された第１乃至第３のＩＣカード１００，２００，３００に書き込まれ、また、第１乃至第３の装着部５，６，７に装着された第１乃至第３のＩＣカード１００，２００，３００に記録されているデータがホスト機器に読み出される。装着装置１とホスト機器とのインタフェースは、少なくともデータの書き込みや読み出しに必要な電力供給が可能なインタフェースであり、ここでは、ＵＳＢ（Universal Serial Bus）が採用されている。勿論、インタフェースは、ＵＳＢに限定されるものではなく、ＩＥＥＥ（the Institute of Electrical and Electronic Engineers）１３９４等であっても良い。なお、電源は、ホスト機器の他、内蔵バッテリや商用電源からも供給されるようにしても良い。また、装置本体４は、有線ではなく、ホスト機器と無線で接続するようにしても良い。
【００３８】
以上のような装着装置１は、装置本体４のジャック１９に接続されたケーブル１８を介してホスト機器に電気的に接続される。第１のＩＣカード１００を装着するとき、第１のＩＣカード１００は、端子部１０２を挿入端として、第１の挿脱口１１より挿入され第１の装着部５に装着される。このとき、ユーザは、第１の膨出部８や第１の表示部８ａを触感や目視によって認識することで、第１の装着部５を識別することができ、第２の装着部６や第３の装着部７への誤挿入を防止することができる。
【００３９】
また、第２のＩＣカード２００を装着するとき、第２のＩＣカード２００は、端子部２０２を挿入端として、第２の挿脱口１２より挿入され第２の装着部６に装着される。このとき、ユーザは、第２の膨出部９や第２の表示部９ａを触感や目視によって認識することで、第２の装着部６を識別することができ、第１の装着部５や第３の装着部７への誤挿入を防止することができる。
【００４０】
更に、第３のＩＣカード３００を装着するとき、第３のＩＣカード３００は、端子部３００ｂを挿入端として、第３の挿脱口１６より挿入され第３の装着部７に装着される。このとき、ユーザは、第１の膨出部８や第２の表示部７ａを触感や目視によって認識することで、第３の装着部７を識別することができ、第１の装着部５や第２の装着部６への誤挿入を防止することができる。
【００４１】
また、ホスト機器が第１乃至第３の装着部５，６，７の何れかにアクセスしているときには、アクセスしている第１乃至第３のＩＣカード１００，２００，３００が装着された第１乃至第３の装着部５，６，７の何れかに対応した第１乃至第３のアクセス識別部１０ａ，１０ｂ，１０ｃの何れかが点灯し、これにより、ユーザは、処理中の第１乃至第３のＩＣカード１００，２００，３００を識別することができ、例えばアクセス中にＩＣカードを装着部より引き抜いてしまうことを防止することができる。
【００４２】
なお、使用状態において、第１乃至第３の装着部５，６，７の全てにＩＣカード１００，２００，３００が装着されている必要はなく、何れかの装着部にＩＣカード１００が装着されていれば良い。
【００４３】
また、第１の装着部５に装着された第１のＩＣカード１００は、第１の切欠部１３より外部に臨まされた第１のＩＣカード１００の背面側を摘んで第１の装着部５より引き抜かれる。また、第２の装着部６に装着された第２のＩＣカード２００は、第２の切欠部１４より外部に臨まされた第２のＩＣカード２００の背面側を摘んで第２の装着部６より引き抜かれる。更に、第３の装着部７に装着された第３のＩＣカード３００は、第３及び第４の切欠部１５，１７より外部に臨まされた第３のＩＣカード３００の背面側を摘んで第１の装着部５より引き抜かれる。
【００４４】
次に、本発明を適用した装着装置の他の例を図７及び図８を参照して説明する。上述した装着装置１では第３の装着部７の膨出部が設けられていなかったが、図７及び図８に示す装着装置３０は、第３の装着部７に、第３の装着部７に装着される第３のＩＣカード３００の平面形状に近似した第３の膨出部３１を設けたことを特徴とする。この第３の膨出部３１は、机等に設置する際の設置面ともなる。この装着装置３０では、第１の装着部５に第１の膨出部８が設けられ、第２の装着部６に第２の膨出部９が設けられる他に、更に、第３装着部７に第３の膨出部３１が設けられることで、第１及び第２の装着部５，６の位置の他、装置本体４の表裏や第３の装着部７の位置も触感で識別することができる。なお、装着装置３０の底面には、第３の膨出部３１の他に、ジャック１９が設けられた位置に、第３の膨出部３１と同じ高さの第４の膨出部３２が設けられており、第４の膨出部３２は、第３の膨出部３１と共に机等への載置部として機能する。
【００４５】
更に、図９に本発明を適用した装着装置の更に他の例を示す。図９に示す装着装置４０は、第１のＩＣカード１００が装着される第１の装着部６と第２のＩＣカード２００が装着される第２の装着部６と第３のＩＣカード３００が装着される第３の装着部７とが上面側に同一側面に第１乃至第３の挿脱口４１ｄ，４２ｄ，４３ｄを並べて並列して設けられていることを特徴とする。
【００４６】
すなわち、この装着装置４０の上面側には、一方の短辺から他方の短辺に向かって、一列に、第１のＩＣカード１００が挿脱される第１の挿脱口４１ｄに連続した第１の装着部４１、第２のＩＣカード２００が挿脱される第２の挿脱口４２ｄに連続した第２の装着部４２、第３のＩＣカード３００が挿脱される第３の挿脱口４３ｄに連続した第３の装着部４３が設けられている。第１の装着部４１には、第１のＩＣカード１００の平面形状に近似した第１の膨出部４１ａが設けられ、第２の装着部４２には、第２のＩＣカード２００の平面形状に近似した第２の膨出部４２ａが設けられ、第３の装着部４３には、第３のＩＣカード３００の平面形状に近似した第３の膨出部４３ａが設けられている。第１の膨出部４１ａの近傍には、ホスト機器が第１の装着部４１に装着された第１のＩＣカード１００にアクセスしているとき点灯する第１のアクセス識別部４１ｂが設けられ、第２の膨出部４２ａの近傍には、ホスト機器が第２の装着部４２に装着された第２のＩＣカード２００にアクセスしているとき点灯する第２のアクセス識別部４２ｂが設けられ、第３の膨出部４３ａの近傍には、ホスト機器が第３の装着部４３に装着された第３のＩＣカード３００にアクセスしているとき点灯する第３のアクセス識別部４３ｂが設けられている。
【００４７】
更に、第１の膨出部４１ａには、装着される第１のＩＣカード１００の種類を表示する第１の表示部４１ｃが設けられ、第２の膨出部４２ａには、装着される第２のＩＣカード２００の種類を表示する第２の表示部４２ｃが設けられ、第３の膨出部４３ａには、装着される第３のＩＣカード３００の種類を表示する第３の表示部４３ｃが設けられている。第１乃至第３の表示部４１ｃ，４２ｃ，４３ｃは、装着装置４０の長辺と平行な直線状に設けられ見栄えが良くなっている。
【００４８】
以上のように構成された装着装置４０では、同一面に、第１乃至第３の装着部４１，４２，４３が設けられているが、各装着部４１，４２，４３には、それぞれ第１乃至第３の膨出部４１ａ，４２ａ，４３ａが形成され、更に、第１乃至第３の表示部４１ｃ，４２ｃ，４３ｃが形成されていることから、第１乃至第３の装着部４１，４２，４３の位置を容易に特定することができ、第１乃至第３のＩＣカード１００，２００，３００の誤挿入を防止することができる。
【００４９】
更に、図１０を用いて本発明を適用した装着装置の更に他の例を説明する。図１０に示す装着装置５０は、上面側に、第１のＩＣカード１００が装着される第１の装着部５１と第２のＩＣカード２００が装着される第２の装着部５２とが直列に設けられていることを特徴とする。なお、この装着装置５０では、２種類のＩＣカードに対応して２つの装着部が設けられ、第３のＩＣカード３００の第３の装着部は設けられていない。
【００５０】
第１の装着部５１には、第１のＩＣカード１００の平面形状に対応して第１の膨出部５１ａが設けられ、第２の装着部５２には、第２のＩＣカード２００の平面形状に対応して第２の膨出部５２ａが設けられている。そして、この装着装置５０では、相対向する短辺の一方に、第１の装着部５１に連続した第１のＩＣカード１００の第１の挿脱口５１ｂが設けられ、他方に、第２の装着部５２に連続した第２のＩＣカード２００の第２の挿脱口５２ａが設けられている。
【００５１】
この装着装置５０では、同一面に、第１の装着部５１と第２の装着部５２とが設けられているが、第１の装着部５１には、第１の膨出部５１ａが設けられ、第２の装着部５２には、第２の膨出部５２ａが設けられていることから、第１及び第２の装着部５１，５２の位置を容易に識別することができ、第１及び第２のＩＣカード１００，２００の誤装着を防止することができる。
【００５２】
なお、この装着装置５０では、第１のＩＣカード１００の装着部５１と第２のＩＣカード２００の装着部５２を設けた例を説明したが、装着部の組み合わせは、第１のＩＣカード１００の装着部と第３のＩＣカード３００の装着部や第２のＩＣカード２００と第３のＩＣカード３００の装着部であっても良い。また、第１及び第２の膨出部５１ａ，５２ａには、装着されるＩＣカード１００，２００の種類を示す表示部を設けても良く、更に、アクセス識別部を設けるようにしても良い。
【００５３】
更に、図１１を参照して、本発明を適用した装着装置の更に他の例を説明する。図１１に示す装着装置６０は、一方の面側に、第１のＩＣカード１００が装着される第１の装着部６１が設けられ、他方の面側に、第２のＩＣカード２００が装着される第２の装着部６２が設けられていることを特徴とする。第１の装着部６１の第１の挿脱口６１ａと第２の装着部６２の第２の挿脱口６２ａとは、装着装置６０の一方の短辺に設けられ、同方向から第１及び第２のＩＣカード１００，２００の挿抜を行うことができる。第１の装着部６１には、第１のＩＣカード１００の平面形状に対応して第１の膨出部６１ｂが設けられ、第２の装着部６２には、第２のＩＣカード２００の平面形状に対応して第２の膨出部６２ｂが設けられている。
【００５４】
この装着装置６０では、相対向する面に、第１の装着部６１と第２の装着部６２が設けられているが、第１の装着部６１には、第１の膨出部６１ｂが設けられ、第２の装着部６２には、第２の膨出部６２ｂが設けられていることから、第１及び第２の装着部６１，６２の位置を容易に識別することができ、第１及び第２のＩＣカード１００，２００の誤装着を防止することができる。
【００５５】
なお、この装着装置６０では、第１のＩＣカード１００の装着部６１と第２のＩＣカード２００の装着部６２を設けた例を説明したが、装着部の組み合わせは、第１のＩＣカード１００の装着部と第３のＩＣカード３００の装着部や第２のＩＣカード２００と第３のＩＣカード３００の装着部であっても良い。また、第１及び第２の膨出部６１ｂ，６２ｂには、装着されるＩＣカード１００，２００の種類を示す表示部を設けても良く、更に、アクセス識別部を設けるようにしても良い。
【００５６】
以上説明した装着装置１，３０，４０，５０，６０では、それぞれのＩＣカード１００，２００，３００に対応した装着部に膨出部を設け、触感によって装着部を識別できるようにし、ＩＣカードの誤装着を防止する例を説明したが、膨出部の形状は、装着部を触感によって識別することができるものであれば、必ずしもＩＣカードの平面形状に対応させたものでなくても良い。
【００５７】
また、装着装置１，３０，４０，５０，６０に装着されるＩＣカードの種類は、第１乃至第３のＩＣカード１００，２００，３００の３種類に限定されるものではなく、また、装着部の数も、以上の例に限定されるものはなく、膨出部を設けた装着部を４以上設けても良い。
【図面の簡単な説明】
【００５８】
【図１】本発明を適用した装着装置の使用状態を示す斜視図である。
【図２】上記装着装置の平面図である。
【図３】上記装着装置の正面図である。
【図４】上記装着装置の背面図である。
【図５】上記装着装置の底面図である。
【図６】上記装着装置の側面図である。
【図７】底面側の装着部に膨出部を形成した装着装置を示す底面図である。
【図８】図７に示す装着装置の側面図である。
【図９】一方の面側に３つの装着部を並列に形成した装着装置を示す底面図である。
【図１０】一方の面側に２つの装着部を直列に形成した装着装置を示す斜視図である。
【図１１】表面と裏面の各々に装着部を一つずつ設けた装着装置の側面図である。
【符号の説明】
【００５９】
１００  第１のＩＣカード、２００  第２のＩＣカード、３００  第３のＩＣカード、１  装着装置、２  上ケース、３  下ケース、４  装置本体、５  第１の装着部、６  第２の装着部、７  第３の装着部、８  第１の膨出部、９  第２の膨出部、１１  第１の挿脱口、１２  第２の挿脱口、１３  第１の切欠部、１４  第２の切欠部、１５  第３の切欠部、１６  第３の挿脱口、１７  第４の切欠部、１８  ケーブル
【図１】
2005227895.tif 000003
【図２】
2005227895.tif 000004
【図３】
2005227895.tif 000005
【図４】
2005227895.tif 000006
【図５】
2005227895.tif 000007
【図６】
2005227895.tif 000008
【図７】
2005227895.tif 000009
【図８】
2005227895.tif 000010
【図９】
2005227895.tif 000011
【図１０】
2005227895.tif 000012
【図１１】
2005227895.tif 000013